(57)【要約】【課題】段差部に小梁の構築を排除してサポートを不要にする、鉄筋トラス付きデッキプレートの幅方向段差構築法を提供する。【解決手段】下段側の鉄筋トラス付きデッキプレート１０と上段側の鉄筋トラス付きデッキプレート３０とを段差を設けて配置する工程と、該段差に形成された隙間を段差処理金物５０を用いて塞ぐ工程と、下段デッキプレート１０の段差部に段差治具６０を載置し、下段鉄筋トラス２０の下段上弦材２１を段差治具６０の貫通孔６１に挿入して下段下弦材２２をフランジ６２に当接すると共に、段差治具６０の上面材６７に、段差部用鉄筋トラス７０の段差上弦材７１を載置して、段差部用鉄筋トラス７０の段差下弦材７２をフランジ６２に当接する工程と、下段デッキプレート１０と上段デッキプレート３０に、段差部用鉄筋トラス７０を包み込むようにコンクリートを打設する工程と、を有する。【選択図】図２
2008045375.tif 000002
【特許請求の範囲】
【請求項１】
一対の鉄筋トラス付きデッキプレートを幅方向で段差を設けて設置する、鉄筋トラス付きデッキプレートの幅方向段差構築法であって、
下段側の鉄筋トラス付きデッキプレートの幅方向の一方の縁部の略上方に、上段側の鉄筋トラス付きデッキプレートの幅方向の他方の縁部が位置し、かつ、前記下段側の鉄筋トラス付きデッキプレートに対して所定の段差を設けて上段側の鉄筋トラス付きデッキプレートを配置する工程と、
前記下段側の鉄筋トラス付きデッキプレートの幅方向の一方の縁部と、前記上段側の鉄筋トラス付きデッキプレートの幅方向の他方の縁部との間の隙間を、段差処理金物によって塞ぐ工程と、
前記下段側の鉄筋トラス付きデッキプレートの幅方向の一方の縁部寄りに固定された鉄筋トラスの略上方で、前記上段側の鉄筋トラス付きデッキプレートに固定された鉄筋トラスと略同じ水平位置に、段差部用鉄筋トラスを配置する工程と、
前記下段側の鉄筋トラス付きデッキプレートおよび前記上段側の鉄筋トラス付きデッキプレートの上に、前記段差部用鉄筋トラスを包み込むようにコンクリートを打設する工程と、
を有する鉄筋トラス付きデッキプレートの幅方向段差構築法。
【請求項２】
前記段差部用鉄筋トラスが、前記上段側の鉄筋トラス付きデッキプレートに固定された鉄筋トラスと同一であることを特徴とする請求項１記載の鉄筋トラス付きデッキプレートの幅方向段差構築法。
【請求項３】
前記段差部用鉄筋トラスを、前記下段側の鉄筋トラス付きデッキプレートに設置した段差金物に載置することを特徴とする請求項１または２記載の鉄筋トラス付きデッキプレートの幅方向段差構築法。
【請求項４】
前記段差金物が、側面に貫通孔または貫通した隙間が形成された箱体であって、
該箱体の上面に、前記段差部用鉄筋トラスを構成する上弦材を載置し、
前記貫通孔または貫通した隙間に、前記下段側の鉄筋トラス付きデッキプレートに固定された鉄筋トラスを構成する上弦材を挿入させることを特徴とする請求項１乃至３の何れかに記載の鉄筋トラス付きデッキプレートの幅方向段差構築法。
【請求項５】
前記箱体の正面または背面の一方または両方に、前記段差部用鉄筋トラスを構成する下弦材を当接させることを特徴とする請求項４記載の鉄筋トラス付きデッキプレートの幅方向段差構築法。
【請求項６】
前記箱体の正面または背面の一方または両方に、前記下段側の鉄筋トラス付きデッキプレートに固定された鉄筋トラスを構成する下弦材を当接させることを特徴とする請求項４または５記載の鉄筋トラス付きデッキプレートの幅方向段差構築法。
【発明の詳細な説明】
【技術分野】
【０００１】
本発明は鉄筋トラス付きデッキプレートの幅方向段差構築法に関する。
【背景技術】
【０００２】
鉄筋トラス付きデッキプレートに固定される鉄筋トラスは、１本の上弦材を頂点に、２本の下弦材を上弦材と平行に配置し、これらによって形成される三角形（側面視）を維持したまま、ラチス材によって連結したものである。このとき、ラチス材は、前記三角形の底辺の下方に延長され、該延長部の先端が底辺に平行になるように折り曲げられ、該折り曲げ部において、デッキプレートに固定されている。
そして、鉄筋トラス付きデッキプレートは、これに固定された鉄筋トラスの上弦材（下弦材に同じ）の方向を「長手方向」または「長手」と称し、これに垂直の方向を「幅方向」と称している。すなわち、鉄筋トラスの下弦材は、幅方向で所定の間隔を空けて配置されていることになる。
【０００３】
従来、鉄筋トラス付きデッキプレートを用いて、段差のある床面を構築しようとすると、下段側のデッキプレートと上段側のデッキプレートとの段差部に小梁を形成し、該小梁を介してそれぞれのデッキプレートを接続していた（正確には、それぞれのデッキプレートと小梁とに跨ってコンクリートを打設していた）。このとき、前記小梁を構築するために、前記小梁の底面を支持するサポートを設ける必要があり、施工工数や施工資材の増大を招くという問題があった。
【０００４】
そこで、発明者等は、前記サポートを不要にするため、日字状の段差支持具を開発し、該段差支持具を下段側の鉄筋トラス付きデッキプレートに載置すると共に、上段側の鉄筋トラス付きデッキプレートに固定された鉄筋トラスを構成する上弦材および下弦材をそれぞれ、前記段差支持具の上面および側面（正面および背面に同じ）に接合し、下段側の鉄筋トラス付きデッキプレートに固定された鉄筋トラスを構成する上弦材および下弦材をそれぞれ、前記段差支持具の中間の水平面および側面（正面および背面に同じ）に接合することにより、両鉄筋トラスを容易に接合する発明を開示している（例えば、特許文献１参照）。
【０００５】
【特許文献１】特開２００４−２５１０２８（第５−６頁、図４）
【発明の開示】
【発明が解決しようとする課題】
【０００６】
すなわち、特許文献１に開示された技術は、前記サポートを不要にするため、施工工数や施工資材の増大を招くという問題を解決するものの、段差部において、上段側の鉄筋トラス付きデッキプレートに固定された鉄筋トラスと、下段側の鉄筋トラス付きデッキプレートに固定された鉄筋トラスが、上下方向で重なっている必要があった。すなわち、特許文献１に開示された技術は、長手方向段差において有効であって、幅方向段差には適用できないものであった。
そのため、幅方向段差の構築には、依然、前述のように段差部に小梁を形成し、該小梁の底面を支持するサポートを設けていたため、施工工数や施工資材の増大を招くという問題があった。
【０００７】
本発明は、このような問題を解決するためになされたものであり、前記小梁の構築を排除して前記サポートを不要にする、鉄筋トラス付きデッキプレートの幅方向段差構築法を提供することを目的とする。
【課題を解決するための手段】
【０００８】
（１）本発明に係る鉄筋トラス付きデッキプレートの幅方向段差構築法は、
一対の鉄筋トラス付きデッキプレートを幅方向で段差を設けて設置する、鉄筋トラス付きデッキプレートの幅方向段差構築法であって、
下段側の鉄筋トラス付きデッキプレートの幅方向の一方の縁部の略上方に、上段側の鉄筋トラス付きデッキプレートの幅方向の他方の縁部が位置し、かつ、前記下段側の鉄筋トラス付きデッキプレートに対して所定の段差を設けて上段側の鉄筋トラス付きデッキプレートを配置する工程と、
前記下段側の鉄筋トラス付きデッキプレートの幅方向の一方の縁部と、前記上段側の鉄筋トラス付きデッキプレートの幅方向の他方の縁部との間の隙間を、段差処理金物によって塞ぐ工程と、
前記下段側の鉄筋トラス付きデッキプレートの幅方向の一方の縁部寄りに固定された鉄筋トラスの略上方で、前記上段側の鉄筋トラス付きデッキプレートに固定された鉄筋トラスと略同じ水平位置に、段差部用鉄筋トラスを配置する工程と、
前記下段側の鉄筋トラス付きデッキプレートおよび前記上段側の鉄筋トラス付きデッキプレートの上に、前記段差部用鉄筋トラスを包み込むようにコンクリートを打設する工程と、
を有する。
【０００９】
（２）また、前記（１）において、前記段差部用鉄筋トラスが、前記上段側の鉄筋トラス付きデッキプレートに固定された鉄筋トラスと同一であることを特徴とする。
【００１０】
（３）また、前記（１）または（２）において、前記段差部用鉄筋トラスを、前記下段側の鉄筋トラス付きデッキプレートに設置した段差金物に載置することを特徴とする請求項１または２記載の鉄筋トラス付きデッキプレートの幅方向段差構築法。
【００１１】
（４）また、前記（１）乃至（３）の何れかにおいて、前記段差金物が、側面に貫通孔または貫通した隙間が形成された箱体であって、
該箱体の上面に、前記段差部用鉄筋トラスを構成する上弦材を載置し、
前記貫通孔または貫通した隙間に、前記下段側の鉄筋トラス付きデッキプレートに固定された鉄筋トラスを構成する上弦材を挿入させることを特徴とする。
【００１２】
（５）また、前記（４）において、前記箱体の正面または背面の一方または両方に、前記段差部用鉄筋トラスを構成する下弦材を当接させることを特徴とする。
【００１３】
（６）また、前記（４）または（５）において、前記箱体の正面または背面の一方または両方に、前記下段側の鉄筋トラス付きデッキプレートに固定された鉄筋トラスを構成する下弦材を当接させることを特徴とする。
【発明の効果】
【００１４】
本発明に係る鉄筋トラス付きデッキプレートの幅方向段差構築法は以上の構成であるから、以下の効果を奏する。
（ｉ）下段側では、幅方向段差の終端にまで下段側の鉄筋トラス付きデッキプレート（以下「下段デッキプレート」と称す）が到達し、該終端と上段側の鉄筋トラス付きデッキプレート（以下「上段デッキプレート」と称す）との隙間が段差処理金物によって塞がれ、下段デッキプレートに固定された鉄筋トラス（以下「下段鉄筋トラス」と称す）の略上方で、上段デッキプレートに固定された鉄筋トラス（以下「上段鉄筋トラス」と称す）と略同じ水平位置に、段差部用鉄筋トラスが配置され、下段デッキプレートおよび上段デッキプレートの上に、段差部用鉄筋トラスを包み込むようにコンクリートが打設されるから、幅方向段差部に小梁を構築する必要がなくなる。よって、前記小梁の底面を支持するサポートが不要になるため、施工工数や施工資材が減少し、施工工期の短縮および施工コストの低減が可能になる。
【００１５】
（ｉｉ）また、段差部用鉄筋トラスが、上段鉄筋トラスと同一であるため、上段デッキプレート用に製作された上段鉄筋トラスを転用することができ、特別の鉄筋トラスを製作する必要がなくなる。よって、施工資材が減少すると共に、施工資材調達のための工数や待ち時間が減少し、施工工期の短縮および施工コストの低減が可能になる。
なお、段差部用鉄筋トラスを下段鉄筋トラスと同一にしても、前記と同じ効果が得られる。また、通常は、上段鉄筋トラスと下段鉄筋トラスとは同一であるから、全ての鉄筋トラス（上段鉄筋トラス、下段鉄筋トラス、段差部用鉄筋トラス）を同じにすれば、前記効果は促進される。
【００１６】
（ｉｉｉ）また、段差部用鉄筋トラスを下段デッキプレートに設置した段差金物に載置するから、段差部用鉄筋トラスの配置が容易になると共に、段差部用鉄筋トラスが正確な位置に配置される。よって、施工工期の短縮および施工コストの低減と共に、施工の信頼性が向上する。
【００１７】
（ｉｖ）また、段差金物である箱体の上面に、段差部用鉄筋トラスを構成する上弦材が載置され、該箱体に形成された貫通孔または貫通した隙間に、下段鉄筋トラスを構成する上弦材を挿入するから、段差部用鉄筋トラスの配置がさらに容易になると共に、段差部用鉄筋トラスがさらに正確な位置に配置される。
【００１８】
（ｖ）また、段差金物である箱体の正面または背面に、段差部用鉄筋トラスを構成する下弦材を当接させるから、段差部用鉄筋トラスがさらに正確な位置に配置されると共に、セメントの打設によって段差部用鉄筋トラスが移動することがない。
（ｖｉ）また、段差金物である箱体の正面または背面に、下段鉄筋トラスを構成する下弦材を当接させるから、段差金物自体が正確な位置に配置されると共に、セメントの打設によって段差金物自体、ひいては段差部用鉄筋トラスが移動することがない
【発明を実施するための最良の形態】
【００１９】
以下、図を参照しながら、まず、鉄筋トラス付きデッキプレートの製造方法を説明し、続いて、該鉄筋トラス付きデッキプレートの製造方法に使用される部材について説明する。なお、以下の図において、同じ部分または相当する部分には同じ符号を付し、また、共通する内容については添え字「ａ、ｂ、」の記載を省略する。また、各図は構成を模式的に示すものであって、部材自体の寸法や部材相互の間隔は誇張されている。
【００２０】
（鉄筋トラス付きデッキプレートの製造方法−その１）
図１および図２は、本発明の実施の形態に係る鉄筋トラス付きデッキプレートの幅方向段差構築法を説明する、図１は概略フロー図、図２は各工程を模式的に示す側面図である。
下段鉄筋トラス２０は、側面視において二等辺三角形の各頂点をそれぞれ形成する、下段上弦材２１および一対の下段下弦材２２と、該二等辺三角形の斜辺にそれぞれ平行する一対の下段ラチス材２３と、を有している。一対の下段ラチス材２３は、正面視において複数個所で屈曲し、一方の屈曲部において前記二等辺三角形の底辺に平行する互いに遠ざかる方向に曲げられ、他方の屈曲部において下段上弦材２１に接合（たとえば、抵抗溶接）され、かかる屈曲部の間の直線状の傾斜部において下段下弦材２３に接合（たとえば、抵抗溶接）されている。
また、上段鉄筋トラス４０も同様に、上段上弦材４１と、一対の上段下弦材４２と、一対の上段ラチス材４３と、を有している。なお、下段鉄筋トラス２０および上段鉄筋トラス４０は、後記する段差用鉄筋トラス７０（図４参照）と同様の形態であるため、詳細な説明を省略する。
【００２１】
（ステップ１）下段デッキプレート１０の幅方向の一方の縁部１１の略上方に、上段デッキプレート３０の幅方向の他方の縁部３１が位置し、かつ、下段デッキプレート１０に対して所定の段差を設けて上段デッキプレート３０を配置する。
（ステップ２）下段デッキプレート１０の幅方向の一方の縁部１１と、上段デッキプレート３０の幅方向の他方の縁部３１との間の隙間を、段差処理金物５０によって塞ぐ（図２の（ａ）参照）。
【００２２】
（ステップ３）下段デッキプレート１０の下段鉄筋トラス２０ａ、２０ｂ、２０ｃの両端位置（紙面の奥行き方向）になるように、段差治具６０ａ、６０ｂ、６０ｃ（紙面奥行き方向にそれぞれ一対）を載置し、下段鉄筋トラス２０ａ、２０ｂ、２０ｃを構成する下段上弦材２１ａ、２１ｂ、２１ｃの両端部をそれぞれ、段差治具６０ａ、６０ｂ、６０ｃのウェブに形成された貫通孔６１ａ、６１ｂ、６１ｃに挿入する。
このとき、下段鉄筋トラス２０ａ、２０ｂ、２０ｃを構成する下段下弦材２２ａ、２２ｂ、２２ｃは、段差治具６０ａ、６０ｂ、６０ｃのフランジ外面６２ａ、６２ｂ、６２ｃに当接する（背面においても同様に当接する）。
【００２３】
（ステップ４）段差治具６０ａ、６０ｂ、６０ｃの上面材６７ａ、６７ｂ、６７ｃにそれぞれ、段差部用鉄筋トラス７０ａ、７０ｂ、７０ｃを構成する段差上弦材７１ａ、７１ｂ、７１ｃを載置する。
このとき、段差部用鉄筋トラス７０ａ、７０ｂ、７０ｃを構成する段差下弦材７２ａ、７２ｂ、７２ｃは、段差治具６０ａ、６０ｂ、６０ｃのフランジ外面６２ａ、６２ｂ、６２ｃに当接する（背面においても同様に当接する）。
【００２４】
（ステップ５）下段鉄筋トラス２０を構成する下段上弦材２１に下段上配力筋８１（紙面奥行き方向に複数）、および下段下弦材２２に下段下配力筋８２（紙面奥行き方向に複数）をそれぞれ載置し、該載置部において線材（いわゆる番線に同じ）を用いて縛着する。このとき、下段上配力筋８１および下段下配力筋８２は、下段デッキプレート１０の一方の縁部１１の略上方にまで達し、一方の縁部１１に至近の下段鉄筋トラス２０ａに縛着されている。
【００２５】
（ステップ６）上段鉄筋トラス４０を構成する上段上弦材４１に上段上配力筋８３（紙面奥行き方向に複数）、および上段下弦材４２に上段下配力筋８４（紙面奥行き方向に複数）をそれぞれ載置し、該載置部において線材（いわゆる番線に同じ）を用いて縛着する。このとき、下段上配力筋８１および下段下配力筋８２は、上段デッキプレート３０の一方の縁部３１から最も遠くに配置された段差部用鉄筋トラス７０ｃに到達し、これに縛着されている。
【００２６】
（ステップ７）下段デッキプレート１０および上段デッキプレート３０の上に、下段上配力筋８１および上段上配力筋８３を覆うように、コンクリート１００を打設する（図２の（ｃ）参照）。よって、幅方向の段差部に小梁を形成しないから、小梁を支持するためのサポートの設置が不要になり、施工工数や施工資材の増大を招くことなく、所定の段差を有する鉄筋トラス付き幅方向段差デッキプレート１を完成することができる。 
【００２７】
なお、以上は、段差部用鉄筋トラス７０ａ、７０ｂ、７０ｃを配置した後、下段上配力筋８１、下段下配力筋８２、上段上配力筋８３、上段下配力筋８４を設置しているが、本発明はこれに限定するものではなく、これらを設置した後に、段差部用鉄筋トラス７０ａ、７０ｂ、７０ｃを配置してもよい。
また、下段デッキプレート１０の幅方向の一方の縁部１１と、上段デッキプレート３０の幅方向の他方の縁部３１との間の隙間は、コンクリート１００を打設する前であればいずれのタイミングであってもよいから、段差処理金物５０の設置は、前記ステップ２に限定されない。さらに、段差部に設置する段差部用鉄筋トラスは３台に限定するものではない。
さらに、段差部用鉄筋トラス７０ａ、７０ｂ、７０ｃは、上段デッキプレート３０に固定された上段鉄筋トラス４０そのものであってもよい。このとき、段差部において、上段デッキプレート３０には、段差治具６０およびコンクリートが通過するための貫通孔が形成されることになる。
【００２８】
（鉄筋トラス付きデッキプレートの製造方法−その２）
図３は、本発明の実施の形態に係る鉄筋トラス付きデッキプレートの幅方向段差構築法（その２）を説明する側面図である。かかる構築法は、図１および図２に説明したものに対し、より大きな段差を有する鉄筋トラス付き幅方向段差デッキプレート２を完成させるものである。
すなわち、鉄筋トラス付きデッキプレート１で使用した段差治具６０ａ、６０ｂ、６０ｃよりも背の高い段差治具６０ａ、６０ｂ、６０ｃを用いている（高さを除いて前者に同一であるため、便宜上同じ符号を付している）。そして、コンクリート１００を打設する前に、段差部に、長手方向（紙面の奥行き方向）に矩形状に配置される４本の主筋９１と、主筋９１を包囲するフープ筋９２とが配置されている。
【００２９】
このとき、主筋９１と、主筋９１を包囲するフープ筋９２とを配置しても、これらを指示するサポートを不要にするから、施工工数や施工資材の増大を招くことなく、大きな段差を有する鉄筋トラス付きデッキプレート２を完成することができる。 
なお、主筋９１やフープ筋９２を設置するタイミングは図１のステップ２〜６の何れかと同時に実行すればよい。
【００３０】
（段差部用鉄筋トラス）
図４は、本発明の実施の形態に係る鉄筋トラス付きデッキプレートの幅方向段差構築法に使用される段差部用鉄筋トラスを説明する、（ａ）は側面図、（ｂ）は正面図、（ｃ）は平面図である。図４において、段差部用鉄筋トラス７０は、長手方向に配置された１本の段差上弦材７１と一対の段差下弦材７２と、これらを連結する段差ラチス材７３と、から構成されている。段差上弦材７１と一対の段差下弦材７２とは側面視において二等辺三角形を形成している。また、段差ラチス材７３は屈曲し、傾斜部７４と水平部７５とを具備している。
【００３１】
したがって、段差上弦材７１の一部を底辺、段差ラチス材７３の水平部７５を上辺、傾斜部７４を斜辺とする台形が形成されている。正確には正面視において、段差ラチス材７３の傾斜部７４には、段差下弦材７２が設置されているから、段差上弦材７１の一部を底辺、段差下弦材７２の一部を上辺、傾斜部７４の一部を斜辺とする台形と、段差下弦材７２の一部を底辺、水平部７５を上辺、傾斜部７４の一部を斜辺とする台形と、段差下弦材７２の一部を底辺、傾斜部７４の一部を斜辺とする三角形と、を具備する格子が形成されている。
【００３２】
なお、図４の（ｃ）において、水平部７５の平面形状を略半円状に示しているが、本発明はこれに限定するものではなく、たとえば、半楕円状や三角形状であってもよい。また、上弦材７１との接合部に水平範囲（直線部）を形成してもよい。また、それぞれの屈曲部は所定の曲率半径をもっている。
【００３３】
（下段鉄筋トラス、上段鉄筋トラス）
以上の説明において、図２および図３に示す下段鉄筋トラス２０および上段鉄筋トラス４０は、段差部用鉄筋トラス７０に同じものであるから、これらについて説明を省略する。すなわち、下段鉄筋トラス２０、上段鉄筋トラス４０および段差部用鉄筋トラス７０は、いずれも同じものであるから、それぞれの製造が共通し、製造の量産効果、資材や完成品の在庫縮少効果等により、それぞれの製造コストが安価に抑えられている。なお、下段鉄筋トラス２０付きの下段デッキプレート１０に要求される特性と、上段鉄筋トラス４０付きの上段デッキプレート３０に要求される特性と、が相違する場合等には、下段鉄筋トラス２０と上段鉄筋トラス４０とは相違するものになる。このとき、段差部用鉄筋トラス７０はこれらの一方と同じものにしてもよいし、これらの何れとも相違するものにしてもよい。
【００３４】
（段差治具）
図５および図６は、本発明の実施の形態に係る鉄筋トラス付きデッキプレートの幅方向段差構築法に使用される段差治具を説明する、（ａ）は斜視図、（ｂ）は使用状態を示す側面図である。
図５の（ａ）において、段差治具６０は、断面Ｕ字鋼６４と、断面Ｕ字鋼６４の両端部に固定された上面材６７および下面材６５とから形成されている。そして、断面Ｕ字鋼６４のウェブ６３には貫通孔６１が形成されている。
【００３５】
図５の（ｂ）において、段差治具６０の使用状態において、下面材６５が下段デッキプレート１０に載置され、下段鉄筋トラス２０を構成する下段上弦材２１の両端部が貫通孔６１に挿入され、下段下弦材２２は、フランジ外面６２に当接する。
また、段差部用鉄筋トラス７０を構成する段差上弦材７１の両端部は、段差治具６０の上面材６７に載置され、段差下弦材７２はフランジ外面６２に当接する（図１のステップ３、４参照）。
【００３６】
図６の（ａ）において、段差治具１６０は、一対の断面Ｕ字鋼１６４と、断面Ｕ字鋼１６４の両端部に固定された上面材１６７および下面材１６５とから形成されている。そして、断面Ｕ字鋼１６４のフランジの側縁同士は所定の隙間１６１を空けて対峙している。
【００３７】
図６の（ｂ）において、段差治具１６０の使用状態において、下面材１６５が下段デッキプレート１０に載置され、下段鉄筋トラス２０を構成する下段上弦材２１の両端部が隙間１６１に挿入され、下段下弦材２２は、ウェブ外面１６３に当接する。
また、段差部用鉄筋トラス７０を構成する段差上弦材７１の両端部は、段差治具１６０の上面材１６７に載置され、段差下弦材７２はウェブ外面１６３に当接する（図１のステップ３、４参照）。
【産業上の利用可能性】
【００３８】
本発明は以上の構成であるから、幅方向の段差部に小梁を形成する必要がなくなるから、これを支持するサポートが不要になり、施工工期の短縮や製造コストの低減が可能になるから、幅方向に段差を有する鉄筋トラス付きデッキプレートの幅方向段差構築法として広く利用することができる。
【図面の簡単な説明】
【００３９】
【図１】本発明の実施の形態に係る鉄筋トラス付きデッキプレートの幅方向段差構築法を説明する概略フロー図。
【図２】本発明の実施の形態に係る鉄筋トラス付きデッキプレートの幅方向段差構築法を説明する各工程を模式的に示す側面図。
【図３】本発明の実施の形態に係る鉄筋トラス付きデッキプレートの幅方向段差構築法（その２）を説明する側面図。
【図４】図１に示す鉄筋トラス付きデッキプレートの幅方向段差構築法に使用される段差部用鉄筋トラスを説明する、（ａ）は側面図、（ｂ）は正面図、（ｃ）は平面図。
【図５】図１に示す鉄筋トラス付きデッキプレートの幅方向段差構築法に使用される段差治具を説明する、（ａ）は斜視図、（ｂ）は使用状態を示す側面図。
【図６】図１に示す鉄筋トラス付きデッキプレートの幅方向段差構築法に使用される段差治具を説明する、（ａ）は斜視図、（ｂ）は使用状態を示す側面図。
【符号の説明】
【００４０】
１ 鉄筋トラス付き幅方向段差デッキプレート
２ 鉄筋トラス付き幅方向段差デッキプレート
１０ 下段デッキプレート
１１ 縁部
２０ 下段鉄筋トラス
２１ 下段上弦材
２２ 下段下弦材
２３ 下段ラチス材
３０ 上段デッキプレート
３１ 縁部
４０ 上段鉄筋トラス
４１ 上段上弦材
４２ 上段下弦材
４３ 上段ラチス材
５０ 段差処理金物
６０ 段差治具
６１ 貫通孔
６２ フランジ外面
６３ ウェブ
６４ Ｕ字鋼
６５ 下面材
６７ 上面材
７０ 段差部用鉄筋トラス
７１ 段差上弦材
７２ 段差下弦材
７３ 段差ラチス材
７４ 傾斜部
７５ 水平部
８１ 下段上配力筋
８２ 下段下配力筋
８３ 上段上配力筋
８４ 上段下配力筋
９１ 主筋
９２ フープ筋
１００ コンクリート
１６０ 段差治具
１６１ 隙間
１６２ フランジ
１６３ ウェブ外面
１６４ Ｕ字鋼
１６５ 下面材
１６７ 上面材
【図１】
2008045375.tif 000003
【図２】
2008045375.tif 000004
【図３】
2008045375.tif 000005
【図４】
2008045375.tif 000006
【図５】
2008045375.tif 000007
【図６】
2008045375.tif 000008